(57)【要約】【課題】光硬化性性シートによる柱状構造物の補修方法を提供する。【解決手段】柱状構造物の外周面に、補修用の光硬化性シートを取り付け、次いで、該光硬化性シート部分を、伸縮性袋部と円筒形状にする連結手段を有し、且つ、光透過性素材からなる帯状体で覆い、更に、前記伸縮性袋部を加圧することにより、外周面を帯状体で圧接し、該状態にて光硬化性シートを硬化させることを特徴とする柱状構造物の補修方法。又は、上記帯状体の片面に補修用の光硬化性シートを設置し、該光硬化性シート側の面で、柱状構造物の外周面を覆い、更に、外周面を帯状体で圧接し、該状態にて光硬化性シートを硬化させることを特徴とする柱状構造物の補修方法。【選択図】　　　　図２
2004027753.tif 000002
【特許請求の範囲】
【請求項１】
柱状構造物の外周面に、補修用の光硬化性シートを取り付け、次いで、該光硬化性シート部分を、伸縮性袋部と円筒形状にする連結手段を有し、且つ、光透過性素材からなる帯状体で覆い、更に、前記伸縮性袋部を加圧することにより、外周面を帯状体で圧接し、該状態にて光硬化性シートを硬化させることを特徴とする柱状構造物の補修方法。
【請求項２】
伸縮性袋部と円筒形状にする連結手段を有し、且つ、光透過性素材からなる帯状体であって、該帯状体の片面に補修用の光硬化性シートを設置し、該光硬化性シート側の面で、柱状構造物の外周面を覆い、更に、前記伸縮性袋部を加圧することにより、外周面を帯状体で圧接し、該状態にて光硬化性シートを硬化させることを特徴とする柱状構造物の補修方法。
【請求項３】
伸縮性袋部と円筒形状にする連結手段を有し、且つ、光透過性素材からなる帯状体であって、柱状構造物の外周面を覆い、前記伸縮性袋部を加圧することにより、外周面を帯状体で圧接する機能を有することを特徴とする、光硬化性シートによる柱状構造物補修用の治具。
【発明の詳細な説明】
【０００１】
【発明の属する技術分野】
本発明は、光硬化性シートによる柱状構造物の補修方法及びそれに用いる治具に関する。
【０００２】
【従来の技術】
近年、光硬化性シートが、金属、プラスチック、木材、コンクリートなどの各種基材の補修用に広く使用されるようになってきている。この光硬化性シートは、任意の形状に加工でき、また、現場での施工が容易で作業が短縮化できること、また、硬化後は優れた補修性能を有するなどの利点を有する。
【０００３】
【発明が解決しようとする課題】
しかしながら、補修対象が複雑な、湾曲等の複雑形状および凹凸部を有する構造物である場合に、被補修体と光硬化性シートの密着性が不良であることが多く、特に、頻繁に補修対象となる柱状構造物においてこの問題が顕著である。
【０００４】
【課題を解決するための手段】
本発明者は、上記課題に鑑み、鋭意検討を行った結果、特定の治具を用いた、光硬化性樹脂シートによる柱状構造物の補修方法によれば、上記課題が解決できることを見出し、本願発明に到達した。
即ち、本件の第一発明は、柱状構造物の外周面に、補修用の光硬化性シートを取り付け、次いで、該光硬化性シート部分を、伸縮性袋部と円筒形状にする連結手段を有し、且つ、光透過性素材からなる帯状体で覆い、更に、前記伸縮性袋部を加圧することにより、外周面を帯状体で圧接し、該状態にて光硬化性シートを硬化させることを特徴とする柱状構造物の補修方法に存する。
【０００５】
本件の第二発明は、伸縮性袋部と円筒形状にする連結手段を有し、且つ、光透過性素材からなる帯状体であって、該帯状体の片面に補修用の光硬化性シートを設置し、該光硬化性シート側の面で、柱状構造物の外周面を覆い、更に、前記伸縮性袋部を加圧することにより、外周面を帯状体で圧接し、該状態にて光硬化性シートを硬化させることを特徴とする柱状構造物の補修方法に存する。
【０００６】
本件の第三発明は、伸縮性袋部と円筒形状にする連結手段を有し、且つ、光透過性素材からなる帯状体であって、柱状構造物の外周面を覆い、前記伸縮性袋部を加圧することにより、外周面を帯状体で圧接する機能を有することを特徴とする、光硬化性シートによる柱状構造物補修用の治具に存する。
【０００７】
【発明の実施の形態】
以下、本発明を詳細に説明する。
本発明で対象となる被補修物は柱状の構造物であり、内空を有する管状構造物を包含する。また、ここでの柱状構造物はその断面が完全な円形である必要はない。但し、後述する本発明で用いる治具による光硬化性シートを固定効果を高めるためには、柱断面の角部分を局面状に補修するか、治具が密着しやすくするための調整部位を補強してもよい。なお、以上のこの構造物の材質は、使用する光硬化性シートの性質による適性は存在するが、コンクリート、鉄、非鉄金属（アルミ等）、プラスチック（塩ビ、ＦＲＰ）など何ら制限されるものではない。
【０００８】
次に、本発明で使用される光硬化性シートは、光硬化性成形材料層を含む補修用シートであれば特に制限はないが、通常、不飽和ポリエステル樹脂、ビニルエステル樹脂、アクリルウレタン樹脂などを単独あるいは混合物に例示されるような光硬化性成形材料を主成分とするものである。更に、かかる光硬化性成形材料に、補強繊維や充填材などの補強材を更に含めることにより、樹脂と補強材とが複合化された補強シートを形成する。ここでの補強繊維としては、ガラス繊維、炭素繊維、ポリエステル繊維などが使用される。かかる光硬化性シートは、通常、施工されるまでの間、光硬化性樹脂が硬化しないように、袋などに射光保管され、補修使用時に開封取り出して使用する態様のものであってもよい。
【０００９】
本発明は、以上のような柱状構造物の外周面を光硬化性シートで補修する方法に関し、具体的には、この際に、特定の帯状体の治具を使用することで補修を完了させることを特徴とする。
ここでの帯状体治具とは、伸縮性袋部と円筒形状にする連結手段を有し、且つ、光透過性素材からなるものである。図１は、この帯状体治具の具体的な一実施例を示した斜図である。一定幅と長さを有する帯状シート１２に袋部を設け、この袋に伸縮性袋１３を内装して構成されている。そして、この帯状体１の両端部、表裏面側には、それぞれ帯状体１を柱状構造物に旋回した際、その巻き付け状態を固定するための接着テープ１４，１４が縫着あるいは接着できるようになっている。また、前記伸縮性袋の周縁部適所には、先端部を加圧ポンプ（図示せず）に接続するチューブ１１と、排気弁１５が取り付けてある。なお、上記の帯状シート１２の光硬化性シートとの接触面は、その密着性を向上させるため、必要に応じて、ある程度凹凸状の加工を施しておいてもよい。
【００１０】
上記の伸縮性袋部と円筒形状にする連結手段としては、別の態様として、帯状体の一端部に矩形の板状部材からなる掛止リングを設け、帯状体の他方の端部を前記掛止リングに通し、柱状構造物を適度に巻き付けた時点で折り返して固定できるような構造を取ることもできる。
以上のような本発明で用いる帯状体は、少なくとも光硬化性シートと接触する面が、可視光の透過度が通常２０％以上程度の光透過性素材からなる。また、袋部は、内圧が通常０．１ＭＰａ程度の耐圧性を有する、例えば、天然ゴム、ウレタンゴム、イソプレンゴム、ＳＢＲ、ＮＢＲ、塩化ビニル、ポリエチレン、シリコーンゴムなどの伸縮性材料を用い、その厚さは通常０．０５〜１５ｍｍである。帯状体の大きさは補修する箇所のサイズ、適応部材の形によって異なるので、汎用サイズのものを準備すればよい。
【００１１】
本発明の柱状構造物の補修方法は、上記帯状体治具を使用する以外は、光硬化性シートの通常の施工方法に準じて行えばよい。補修対象物は、必要に応じて、始めにサンダー等による下地処理を行ってもよい。通常、光硬化性シートを補修部に張り付けるが、補助的に補修部面にプライマー接着剤を塗布しておいてもよい。次いで、帯状体で覆い、更に、前記伸縮性袋部を加圧することにより、外周面を帯状体で圧接する。また、別法として、光硬化性シートを予め帯状体の片面に設置し、該光硬化性シート側の面で、柱状構造物の外周面を覆い、次いで、外周面を帯状体で圧接する方法であってもよい。
以上、帯状体で光硬化性シートが補修部に圧接した状態を保ち、該状態において、周りより光をあてて、光硬化性シートを硬化させる。図２は、本発明の柱状構造物の補修方法の実施態様を示す概念図である。
【００１２】
【発明の効果】
本発明により、従来のシートによる補修方法では密着が難しかった、湾曲等の複雑形状および凹凸部を持つ被補修体に対して十分に密着させることが可能なため補修性能に優れ、さらにシートを硬化させるだけの充分な光量を透過することが可能となるため短時間で効果が発揮できる帯状体、および工業的に有利な光硬化シートを用いた柱状構造物の補修方法が提供される。
【図面の簡単な説明】
【図１】本発明で用いる帯状体治具の具体的な一実施例を示した斜図である。
【図２】本発明の柱状構造物の補修方法の実施態様を示す概念図である。
【符号の説明】
１：帯状体
２：光硬化性シート
３：柱状構造物
１１：チューブ
１２：帯状シート
１３：伸縮性袋
１４：接着テープ
１５：排気弁
【図１】
2004027753.tif 000003
【図２】
2004027753.tif 000004